(57)【要約】【課題】無線通信システムにおいて端末がダウンリンクリンク品質を報告する方法を提供すること。【解決手段】本発明による方法は、サービス提供セルから資源制限的測定のためのサブフレーム集合に関する情報及び干渉セルのセル特定参照信号に関する情報を受信する段階と、サブフレーム集合においてダウンリンクリンク品質を測定する段階と、測定されたダウンリンクリンク品質をサービス提供セルに報告する段階と、を含み、サブフレーム集合では、干渉セルのセル特定参照信号に関する情報を用いて、干渉セルからのセル特定参照信号による干渉制御処理を適用することを特徴とする。【選択図】図９
2014531822.tif 000002
【特許請求の範囲】
【請求項１】
無線通信システムにおいて端末がダウンリンクリンク品質を報告する方法であって、
サービス提供セルから、資源制限的測定のためのサブフレーム集合に関する情報及び干渉セルのセル特定参照信号に関する情報を受信する段階と、
前記サブフレーム集合においてダウンリンクリンク品質を測定する段階と、
前記の測定されたダウンリンクリンク品質を前記サービス提供セルに報告する段階と、を有し、
前記サブフレーム集合では、前記干渉セルの前記セル特定参照信号に関する情報を用いて、前記干渉セルの前記セル特定参照信号によって生じた干渉を制御する処理を適用する、方法。
【請求項２】
前記サブフレーム集合に含まれるサブフレームは、略空白サブフレーム（ＡＢＳ）又はマルチキャスト・ブロードキャスト単一周波網（ＭＢＳＦＮ）ＡＢＳであることを特徴とする、請求項１に記載の方法。
【請求項３】
前記測定する段階は、前記干渉セルの前記セル特定参照信号によって生じた干渉が除去されたという仮定の下で、前記ダウンリンクリンク品質を測定する段階を含むことを特徴とする、請求項２に記載の方法。
【請求項４】
前記ダウンリンクリンク品質は、第１の情報、及び前記第１の情報に対応する第２の情報を含み、
前記第１の情報の送信周期の間に前記第２の情報が複数回送信される場合、第１の情報を測定するためのサブフレーム及び前記第２の情報を測定するためのサブフレームは、前記サブフレーム集合に属するサブフレームであると仮定することを特徴とする、請求項１に記載の方法。
【請求項５】
前記第１の情報はランク指示子（ＲＩ）であり、
前記第２の情報は、プリコーディング行列インデクス（ＰＭＩ）及びチャネル品質指示子（ＣＱＩ）のうち少なくとも一つを含むことを特徴とする、請求項４に記載の方法。
【請求項６】
前記サブフレーム集合に関する前記情報は、無線資源制御（ＲＲＣ）階層を介して受信されることを特徴とする、請求項１に記載の方法。
【請求項７】
無線通信システムにおける端末であって、
サービス提供セルから、資源制限的測定のためのサブフレーム集合に関する情報及び干渉セルのセル特定参照信号に関する情報を受信するように構成された受信モジュールと、
前記サブフレーム集合においてダウンリンクリンク品質を測定するように構成されたプロセッサと、
前記の測定されたダウンリンクリンク品質を前記サービス提供セルに報告するように構成された送信モジュールと、を含み、
前記プロセッサは、前記サブフレーム集合では、前記干渉セルの前記セル特定参照信号に関する情報を用いて、前記干渉セルの前記セル特定参照信号によって生じた干渉を制御する処理を適用することを特徴とする、端末。
【請求項８】
前記サブフレーム集合に含まれるサブフレームは、略空白サブフレーム（ＡＢＳ）又はマルチキャスト・ブロードキャスト単一周波網（ＭＢＳＦＮ）ＡＢＳであることを特徴とする、請求項７に記載の端末。
【請求項９】
前記プロセッサは、前記干渉セルの前記セル特定参照信号によって生じた干渉が除去されたという仮定の下で、前記ダウンリンクリンク品質を測定することを特徴とする、請求項８に記載の端末。
【請求項１０】
前記ダウンリンクリンク品質は、第１の情報、及び前記第１の情報に対応する第２の情報を含み、
前記第１の情報の送信周期の間に前記第２の情報が複数回送信される場合、前記プロセッサは、第１の情報の測定のためのサブフレーム及び前記第２の情報の測定のためのサブフレームが前記サブフレーム集合に属するサブフレームであると仮定することを特徴とする、請求項７に記載の端末。
【請求項１１】
前記第１の情報はランク指示子（ＲＩ）であり、
前記第２の情報は、プリコーディング行列インデクス（ＰＭＩ）及びチャネル品質指示子（ＣＱＩ）のうち少なくとも一つを含むことを特徴とする、請求項１０に記載の端末。
【請求項１２】
前記受信モジュールは、前記サブフレーム集合に関する前記情報を、無線資源制御（ＲＲＣ）階層を介して受信することを特徴とする、請求項７に記載の端末。
【発明の詳細な説明】
【技術分野】
【０００１】
本発明は、無線通信システムに関し、より詳細には、無線通信システムにおいてリンク品質を測定する方法及びこのための装置に関する。
【背景技術】
【０００２】
本発明が適用され得る無線通信システムの一例として、第３世代パートナシッププロジェクト（３ＧＰＰ）長期進化システム（以下、ＬＴＥという）について概略的に説明する。
【０００３】
図１は、無線通信システムの一例としてＥ―ＵＭＴＳ網の構造を概略的に示した図である。強化はん用移動体通信システム（Ｅ―ＵＭＴＳ）は、既存のはん用移動体通信システム（ＵＭＴＳ）から進化したシステムであって、現在、３ＧＰＰにおいて基礎的な標準化作業が進められている。一般に、Ｅ―ＵＭＴＳは、ＬＴＥシステムと呼ぶこともできる。ＵＭＴＳ及びＥ―ＵＭＴＳの技術規格の詳細な内容はそれぞれ、“３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ”のＲｅｌｅａｓｅ７及びＲｅｌｅａｓｅ８を参照することができる。
【０００４】
図１を参照すると、Ｅ―ＵＭＴＳは、端末（Ｕｓｅｒ  Ｅｑｕｉｐｍｅｎｔ、ＵＥ）、基地局（ｅＮｏｄｅ  Ｂ、ｅＮＢ）、及びネットワーク（Ｅ―ＵＴＲＡＮ）の終端に位置し、外部ネットワークと接続される接続ゲートウェイ（ＡＧ）を含む。基地局は、ブロードキャストサービス、マルチキャストサービス及び／又はユニキャストサービスのために複数のデータストリームを同時に送信することができる。
【０００５】
一つの基地局には一つ以上のセルが存在する。セルは、１．２５、２．５、５、１０、１５、２０ＭＨｚなどの帯域幅のうち一つとして設定され、多くの端末にダウンリンク又はアップリンク送信サービスを提供する。別個のセルは、別個の帯域幅を提供するように設定することができる。基地局は、複数の端末に対するデータ送受信を制御する。基地局は、ダウンリンク（ＤＬ）データに対してダウンリンクスケジュール情報を送信し、該当の端末にデータが送信される時間／周波数領域、符号化、データサイズ、ハイブリッド自動再送（ＨＡＲＱ）関連情報などを通知する。また、基地局は、アップリンク（ＵＬ）データに対してアップリンクスケジュール情報を該当の端末に送信し、該当の端末が使用可能な時間／周波数領域、符号化、データサイズ、ＨＡＲＱ関連情報などを通知する。基地局間では、ユーザ情報又は制御情報送信のためのインタフェースを使用することができる。コア網（ＣＮ）は、ＡＧ及び端末のユーザ登録などのためのネットワークノードなどによって構成することができる。ＡＧは、複数のセルで構成される位置登録エリア（Ｔｒａｃｋｉｎｇ  Ａｒｅａ、ＴＡ）単位で端末の移動性を管理する。
【０００６】
無線通信技術は、ＷＣＤＭＡ（登録商標）を基盤にしてＬＴＥまで開発されてきたが、ユーザ及び事業者の要求及び期待は増加し続けている。また、他の無線接続技術が継続して開発されているため、今後、競争力を有するためには新たな技術進化が必要である。例えば、ビット当たりの費用減少、サービス可用性の増大、融通性のある周波数帯域の使用、単純構造、開放型インタフェース、端末の適切な電力消耗などが必要である。
【発明の概要】
【発明が解決しようとする課題】
【０００７】
上述したような論議に基づいて、以降、無線通信システムでリンク品質を測定する方法及びこのための装置を提案する。
【課題を解決するための手段】
【０００８】
本発明の一態様である無線通信システムにおいて、端末がダウンリンクリンク品質を報告する方法は、サービス提供セルから、資源制限的測定のためのサブフレーム集合に関する情報及び干渉セルのセル特定参照信号に関する情報を受信する段階と、サブフレーム集合においてダウンリンクリンク品質を測定する段階と、上記の測定されたダウンリンクリンク品質をサービス提供セルに報告する段階と、を含み、サブフレーム集合では、干渉セルのセル特定参照信号に関する情報を用いて干渉セルからのセル特定参照信号による干渉制御処理を適用することを特徴とする。
【０００９】
ここで、サブフレーム集合に含まれるサブフレームは、略空白サブフレーム（Ａｌｍｏｓｔ  Ｂｌａｎｋ  Ｓｕｂｆｒａｍｅ、ＡＢＳ）又はマルチキャスト・ブロードキャスト単一周波網（Ｍｕｌｔｉｃａｓｔ  ｂｒｏａｄｃａｓｔ  ｓｉｎｇｌｅ  ｆｒｅｑｕｅｎｃｙ  ｎｅｔｗｏｒｋ、ＭＢＳＦＮ）ＡＢＳであることを特徴とする。この場合、ダウンリンクリンク品質を測定する段階は、干渉セルからのセル特定参照信号による干渉が除去されたという仮定の下で、ダウンリンクリンク品質を測定する段階を含むことを特徴とする。
【００１０】
望ましくは、ダウンリンクリンク品質は、第１の情報、及び第１の情報に対応する第２の情報を含み、第１の情報の送信周期の間に第２の情報が複数回送信される場合、第１の情報の測定のためのサブフレーム及び第２の情報の測定のためのサブフレームは、サブフレーム集合に属するものと仮定することを特徴とする。この場合、第１の情報はランク指示子（ＲＩ）であり、第２の情報は、プリコーディング行列インデクス（ＰＭＩ）及びチャネル品質指示子（ＣＱＩ）のうち少なくとも一つを含むことを特徴とする。
【００１１】
より望ましくは、サブフレーム集合に関する情報は、無線資源制御（ＲＲＣ）階層を介して受信することを特徴とする。
【００１２】
一方、本発明の他の態様である無線通信システムにおける端末は、サービス提供セルから、資源制限的測定のためのサブフレーム集合に関する情報及び干渉セルのセル特定参照信号に関する情報を受信するための受信モジュールと、サブフレーム集合においてダウンリンクリンク品質を測定するためのプロセッサと、上記の測定されたダウンリンクリンク品質をサービス提供セルに報告するための送信モジュールと、を含み、プロセッサは、サブフレーム集合では、干渉セルのセル特定参照信号に関する情報を用いて干渉セルからのセル特定参照信号による干渉制御処理を適用することを特徴とする。
【発明の効果】
【００１３】
本発明の実施例によると、無線通信システムにおける端末はリンク品質を効果的に測定し、基地局に報告することができる。
【００１４】
本発明で得られる効果は、以上で言及した各効果に制限されず、言及していない他の効果は、下記の記載から本発明の属する技術分野で通常の知識を有する者には明確に理解されるであろう。
【図面の簡単な説明】
【００１５】
【図１】無線通信システムの一例としてＥ―ＵＭＴＳ網の構造を概略的に示した図である。
【図２】３ＧＰＰ無線接続網規格を基盤にした端末とＥ―ＵＴＲＡＮとの間の無線インタフェースプロトコルの制御平面及びユーザ平面の構造を示す図である。
【図３】３ＧＰＰシステムに用いられる各物理チャネル及びこれらを用いた一般的な信号送信方法を説明するための図である。
【図４】ＬＴＥシステムで使用される無線フレームの構造を例示する図である。
【図５】ＬＴＥシステムで使用されるダウンリンク無線フレームの構造を例示する図である。
【図６】支配的干渉が存在する状況を例示する図である。
【図７ａ】ＡＢＳがＭＢＳＦＮサブフレームとして設定されたか否かによる相違点を説明するための図である。
【図７ｂ】ＡＢＳがＭＢＳＦＮサブフレームとして設定されたか否かによる相違点を説明するための図である。
【図８】一つの伝送ブロックが複数の符号ブロックに分割された場合、各符号ブロックに及ぼすセル間干渉の影響を比較する例を示す図である。
【図９】本発明の実施例によってＵＥがＣＳＩを計算する方法を示す図である。
【図１０】本発明の実施例によってＲＩとＰＭＩ／ＣＱＩ報告との間の一貫性を維持するために、ＰＭＩ／ＣＱＩ報告のための参照資源を設定する例を示す図である。
【図１１】本発明の一実施例に係る通信装置のブロック構成図である。
【発明を実施するための形態】
【００１６】
添付の図面を参照して以降説明する本発明の各実施例を読むことによって、本発明の構成、作用及び他の特徴が容易に理解できるであろう。以降説明する各実施例は、本発明の技術的特徴が３ＧＰＰシステムに適用された例である。
【００１７】
本明細書では、ＬＴＥシステム及びＬＴＥ―Ａシステムを使用して本発明の実施例を説明するが、これは例示であって、本発明の実施例は、上記の定義に該当するいかなる通信システムにも適用することができる。また、本明細書は、周波数分割２重通信（ＦＤＤ）方式を基準にして本発明の実施例について説明するが、これは例示であって、本発明の実施例は、周波数分割半２重通信（Ｈ―ＦＤＤ）方式又は時分割２重通信（ＴＤＤ）方式にも容易に変形して適用することができる。
【００１８】
図２は、３ＧＰＰ無線接続網規格に基づく端末とＥ―ＵＴＲＡＮとの間の無線インタフェースプロトコルの制御平面及びユーザ平面の構造を示す図である。制御平面は、端末（ＵＥ）及びネットワークが呼を管理するために用いる各制御メッセージが送信される通信路を意味する。ユーザ平面は、アプリケーション階層で生成されたデータ、例えば、音声データ又はインターネットパケットデータなどが送信される通信路を意味する。
【００１９】
第１の階層である物理階層は、物理チャネルを用いて上位階層に情報送信サービスを提供する。物理階層は、上位にある媒体接続制御階層と送信チャネルを介して接続されている。送信チャネルを介して媒体接続制御階層と物理階層との間でデータが移動する。送信側と受信側の物理階層との間では、物理チャネルを介してデータが移動する。物理チャネルは、時間及び周波数を無線資源として活用する。具体的に、物理チャネルは、ダウンリンクでは直交周波数分割多元接続（ＯＦＤＭＡ）方式で変調され、アップリンクでは単一搬送波周波数分割多元接続（ＳＣ―ＦＤＭＡ）方式で変調される。
【００２０】
第２の階層の媒体接続制御（ＭＡＣ）階層は、論理チャネルを介して上位階層である無線リンク制御（ＲＬＣ）階層にサービスを提供する。第２の階層のＲＬＣ階層は、高信頼データ送信をサポートする。ＲＬＣ階層の機能は、ＭＡＣ内部の機能ブロックで具現することもできる。第２の階層のパケットデータ融合プロトコル（ＰＤＣＰ）階層は、帯域幅の狭い無線インタフェースでＩＰｖ４又はＩＰｖ６などのＩＰパケットを効率的に送信するために、不要な制御情報を減少させるヘッダ圧縮機能を提供する。
【００２１】
第３の階層の最下部に位置した無線資源制御（ＲＲＣ）階層は、制御平面だけで定義される。ＲＲＣ階層は、各無線ベアラ（ＲＢ）の設定、再設定及び解除と関連して論理チャネル、送信チャネル及び物理チャネルの制御を担当する。ＲＢは、端末とネットワークとの間のデータ伝送のために第２の階層によって提供されるサービスを意味する。このために、端末のＲＲＣ階層及びネットワークのＲＲＣ階層は、ＲＲＣメッセージを交換する。端末は、端末のＲＲＣ階層とネットワークのＲＲＣ階層との間にＲＲＣ接続がある場合はＲＲＣ接続状態（Ｃｏｎｎｅｃｔｅｄ  Ｍｏｄｅ）にあり、そうでない場合はＲＲＣ休止状態（Ｉｄｌｅ  Ｍｏｄｅ）にある。ＲＲＣ階層の上位にある非接続層（Ｎｏｎ―Ａｃｃｅｓｓ  Ｓｔｒａｔｕｍ、ＮＡＳ）は、セッション管理及び移動性管理などの機能を提供する。
【００２２】
基地局（ｅＮＢ）を構成する一つのセルは、１．２５、２．５、５、１０、１５、２０ＭＨｚなどの帯域幅のうち一つとして設定され、多くの端末にダウンリンク又はアップリンク送信サービスを提供する。別個のセルは、別個の帯域幅を提供するようとして設定することができる。
【００２３】
ネットワークから端末にデータを送信するダウンリンク送信チャネルとしては、システム情報を送信する同報チャネル（ＢＣＨ）、呼出しメッセージを送信する呼出しチャネル（ＰＣＨ）、ユーザ情報又は制御メッセージを送信するダウンリンク共有チャネル（ＳＣＨ）などがある。ダウンリンクマルチキャスト又はブロードキャストサービスの情報又は制御メッセージの場合、ダウンリンクＳＣＨを介して送信することもできるし、別個のダウンリンクマルチキャストチャネル（ＭＣＨ）を介して送信することもできる。一方、端末からネットワークにデータを送信するアップリンク送信チャネルとしては、初期制御メッセージを送信するランダム接続チャネル（ＲＡＣＨ）、ユーザ情報又は制御メッセージを送信するアップリンクＳＣＨがある。送信チャネルの上位にあり、送信チャネルにマップされる論理チャネルとしては、同報制御チャネル（ＢＣＣＨ）、呼出し制御チャネル（ＰＣＣＨ）、共通制御チャネル（ＣＣＣＨ）、マルチキャスト制御チャネル（ＭＣＣＨ）、マルチキャスト情報チャネル（ＭＴＣＨ）などがある。
【００２４】
図３は、３ＧＰＰシステムに用いられる各物理チャネル及びこれらを用いた一般的な信号送信方法を説明するための図である。
【００２５】
電源がオンになったか、又は端末が新たにセルに進入した場合、端末は基地局と同期を合わせるなどの初期セル探索作業を行う（Ｓ３０１）。このために、端末は、基地局から主同期チャネル（Ｐ―ＳＣＨ）及び副同期チャネル（Ｓ―ＳＣＨ）を受信することによって基地局と同期を合わせ、セルＩＤなどの情報を取得することができる。その後、端末は、基地局から物理同報チャネルを受信し、セル内の同報情報を取得することができる。一方、端末は、初期セル探索段階でダウンリンク参照信号（ＤＬ  ＲＳ）を受信し、ダウンリンクチャネル状態を確認することができる。
【００２６】
初期セル探索を終了した端末は、物理ダウンリンク制御チャネル（ＰＤＣＣＨ）及びＰＤＣＣＨに載せられた情報によって物理ダウンリンク共有チャネル（ＰＤＳＣＨ）を受信することによって、より具体的なシステム情報を取得することができる（Ｓ３０２）。
【００２７】
一方、端末が基地局に最初に接続したか、又は信号送信のための無線資源がない場合、端末は、基地局に対してランダム接続手順を行うことができる（段階Ｓ３０３ないし段階Ｓ３０６）。このために、端末は、物理ランダム接続チャネル（ＰＲＡＣＨ）を介して特定シーケンスをプリアンブルとして送信し（Ｓ３０３及びＳ３０５）、ＰＤＣＣＨ及び対応するＰＤＳＣＨを介してプリアンブルに対する応答メッセージを受信することができる（Ｓ３０４及びＳ３０６）。競合ベースのＲＡＣＨの場合、更に競合回避手順（Ｃｏｎｔｅｎｔｉｏｎ  Ｒｅｓｏｌｕｔｉｏｎ  Ｐｒｏｃｅｄｕｒｅ）を実行することができる。
【００２８】
上述したような手順を行った端末は、その後、一般的なアップリンク／ダウンリンク信号送信手順として、ＰＤＣＣＨ／ＰＤＳＣＨ受信（Ｓ３０７）及び物理アップリンク共有チャネル（ＰＵＳＣＨ）／物理アップリンク制御チャネル（ＰＵＣＣＨ）送信（Ｓ３０８）を行うことができる。特に、端末は、ＰＤＣＣＨを介してダウンリンク制御情報（ＤＣＩ）を受信する。ここで、ＤＣＩは、端末に対する資源割当て情報などの制御情報を含み、その使用目的に応じてフォーマットが異なる。
【００２９】
一方、端末がアップリンクを介して基地局に送信したり、又は端末が基地局から受信したりする制御情報は、ダウンリンク／アップリンクＡＣＫ／ＮＡＣＫ信号、ＣＱＩ、ＰＭＩ、ＲＩなどを含む。３ＧＰＰ  ＬＴＥシステムの場合、端末は、上述したＣＱＩ／ＰＭＩ／ＲＩなどの制御情報をＰＵＳＣＨ及び／又はＰＵＣＣＨを介して送信することができる。
【００３０】
図４は、ＬＴＥシステムで使用される無線フレームの構造を例示する図である。
【００３１】
図４を参照すると、無線フレームは、１０ｍｓ（３２７２００×Ｔｓ）の長さを有し、１０個の均等なサイズのサブフレームで構成されている。それぞれのサブフレームは、１ｍｓの長さを有し、２個のスロットで構成されている。それぞれのスロットは、０．５ｍｓ（１５３６０×Ｔｓ）の長さを有する。ここで、Ｔｓは、サンプリング時間を示し、Ｔｓ＝１／（１５ｋＨｚ×２０４８）＝３．２５５２×１０-8（約３３ｎｓ）と表される。スロットは、時間領域で複数のＯＦＤＭシンボルを含み、周波数領域で複数の資源ブロック（ＲＢ）を含む。ＬＴＥシステムにおいて、一つの資源ブロックは、１２個の副搬送波×７（６）個のＯＦＤＭシンボルを含む。データが送信される単位時間である送信時間間隔（ＴＴＩ）は、一つ以上のサブフレーム単位で決定することができる。上述した無線フレームの構造は例示に過ぎず、無線フレームに含まれるサブフレームの数、サブフレームに含まれるスロットの数、又はスロットに含まれるＯＦＤＭシンボルの数は多様に変更可能である。
【００３２】
図５は、ダウンリンク無線フレームで一つのサブフレームの制御領域に含まれる制御チャネルを例示する図である。
【００３３】
図５を参照すると、サブフレームは、１４個のＯＦＤＭシンボルで構成されている。サブフレームの設定によって、最初の１個ないし３個のＯＦＤＭシンボルは制御領域として使用され、残りの１１個ないし１３個のＯＦＤＭシンボルはデータ領域として使用される。図面において、Ｒ１ないしＲ４は、アンテナ０ないし３に対する基準信号（ＲＳ）又はパイロット信号を示す。ＲＳは、制御領域及びデータ領域と関係なく、サブフレーム内に一定のパターンで固定される。制御チャネルは、制御領域のうちＲＳが割り当てられていない資源に割り当てられ、情報チャネルも、データ領域のうちＲＳが割り当てられていない資源に割り当てられる。制御領域に割り当てられる制御チャネルとしては、物理制御フォーマット指示子チャネル（ＰＣＦＩＣＨ）、物理ハイブリッド自動再送（ＨＡＲＱ）指示子チャネル（ＰＨＩＣＨ）、物理ダウンリンク制御チャネル（ＰＤＣＣＨ）などがある。
【００３４】
ＰＣＦＩＣＨは、物理制御フォーマット指示子チャネルであって、サブフレームごとにＰＤＣＣＨに使用されるＯＦＤＭシンボルの個数を端末に通知する。ＰＣＦＩＣＨは、１番目のＯＦＤＭシンボルに位置し、ＰＨＩＣＨ及びＰＤＣＣＨに優先して設定される。ＰＣＦＩＣＨは、４個の資源要素グループ（ＲＥＧ）で構成され、それぞれのＲＥＧは、セルＩＤに基づいて制御領域内に分散される。一つのＲＥＧは４個の資源要素（ＲＥ）で構成される。ＲＥは、一つの副搬送波×一つのＯＦＤＭシンボルとして定義される最小の物理資源を示す。ＰＣＦＩＣＨ値は、帯域幅に従って、１ないし３又は２ないし４の値を指示し、４層位相偏移変調（ＱＰＳＫ）で変調される。
【００３５】
ＰＨＩＣＨは、物理ＨＡＲＱ指示子チャネルであって、アップリンク送信に対するＨＡＲＱ  ＡＣＫ／ＮＡＣＫを搬送するために使用される。すなわち、ＰＨＩＣＨは、ＵＬ  ＨＡＲＱのためのＤＬ  ＡＣＫ／ＮＡＣＫ情報が送信されるチャネルを示す。ＰＨＩＣＨは、１個のＲＥＧで構成され、セル特定（ｃｅｌｌ―ｓｐｅｃｉｆｉｃ）にスクランブルされる。ＡＣＫ／ＮＡＣＫは、１ビットで指示され、２相位相偏移変調（ＢＰＳＫ）で変調される。変調されたＡＣＫ／ＮＡＣＫは、拡散係数（ＳＦ）＝２又は４で拡散される。同一の資源にマップされる複数のＰＨＩＣＨは、ＰＨＩＣＨグループを構成する。ＰＨＩＣＨグループに多重化されるＰＨＩＣＨの個数は、拡散符号の個数によって決定される。ＰＨＩＣＨ（グループ）は、周波数領域及び／又は時間領域でダイバシチ利得を得るために３回繰り返される。
【００３６】
ＰＤＣＣＨは、物理ダウンリンク制御チャネルであって、サブフレームの最初のｎ個のＯＦＤＭシンボルに割り当てられる。ここで、ｎは、１以上の整数であって、ＰＣＦＩＣＨによって指示される。ＰＤＣＣＨは一つ以上のＣＣＥで構成される。ＰＤＣＣＨは、送信チャネルであるＰＣＨ及びＤＬ―ＳＣＨの資源割当てと関連した情報、アップリンクスケジュール許可、ＨＡＲＱ情報などを各端末又は端末グループに通知する。ＰＣＨ及びＤＬ―ＳＣＨは、ＰＤＳＣＨを介して送信される。したがって、基地局及び端末は、一般に特定の制御情報又は特定のサービスデータを除いては、ＰＤＳＣＨを介してデータをそれぞれ送信及び受信する。
【００３７】
ＰＤＳＣＨのデータがどのような端末（一つ又は複数の端末）に送信されるものであり、各端末がどのようにＰＤＳＣＨデータを受信して復号すべきであるかに対する情報などは、ＰＤＣＣＨに含まれて送信される。例えば、特定のＰＤＣＣＨが"Ａ"という無線ネット一時識別情報（ＲＮＴＩ）でＣＲＣマスクされており、"Ｂ"という無線資源（例えば、周波数位置）及び"Ｃ"というＤＣＩフォーマット、すなわち、送信形式情報（例えば、伝送ブロックサイズ、変調方式、符号化情報など）を用いて送信されるデータに関する情報が特定サブフレームを介して送信されると仮定する。この場合、セル内の端末は、自分が有しているＲＮＴＩ情報を用いてＰＤＣＣＨを監視し、"Ａ"というＲＮＴＩを有している一つ以上の端末がある場合、各端末はＰＤＣＣＨを受信し、受信したＰＤＣＣＨの情報を介して"Ｂ"及び"Ｃ"によって指示されるＰＤＳＣＨを受信する。
【００３８】
以下、チャネル状態情報（ＣＳＩ）報告について説明する。現在のＬＴＥ標準では、チャネル情報なしで運用される開ループＭＩＭＯと、チャネル情報に基づいて運用される閉ループＭＩＭＯの二つの送信方式が存在する。特に、閉ループＭＩＭＯでは、ＭＩＭＯアンテナの多重化利得を得るために、基地局及び端末のそれぞれはチャネル状態情報に基づいてビームフォーミングを行うことができる。基地局は、チャネル状態情報を端末から得るために、端末に参照信号を送信し、これに基づいて測定したチャネル状態情報をＰＵＣＣＨ又はＰＵＳＣＨを介してフィードバックするように命令する。
【００３９】
ＣＳＩは、ＲＩ、ＰＭＩ、ＣＱＩの３つの情報に大きく分類される。まず、ＲＩは、上述したように、チャネルのランク情報を示し、端末が同一の周波数―時間資源を介して受信できるストリームの個数を意味する。また、ＲＩは、チャネルの長期フェージングによって決定されるため、通常、ＰＭＩ、ＣＱＩ値より長い周期で基地局にフィードバックされる。
【００４０】
２番目に、ＰＭＩは、チャネルの空間特性を反映した値であって、ＳＩＮＲなどのメトリックを基準にして端末が好む基地局のプリコーディング行列インデクスを示す。最後に、ＣＱＩは、チャネルの強さを示す値であって、通常、基地局がＰＭＩを用いたときに得られる受信ＳＩＮＲを意味する。
【００４１】
一方、セル間干渉の緩和のための方法として、干渉セルが一部の物理チャネルの送信電力を減少させたり、一部の物理チャネルを送信していないサブフレーム、すなわち、略空白サブフレーム（ａｌｍｏｓｔ  ｂｌａｎｋ  ｓｕｂｆｒａｍｅ、ＡＢＳ）を使用し、被干渉セルがこれを考慮してＵＥをスケジュールしたりする方法が論議されている。
【００４２】
この場合、被干渉セルのＵＥの立場では、干渉レベルがサブフレームによって大きく変化するが、このような状況で各サブフレームでのより正確な無線リンク監視（ＲＬＭ）動作を行ったり、基準信号受信電力（ＲＳＲＰ）／基準信号受信品質（ＲＳＲＱ）などを測定する無線資源管理（ＲＲＭ）動作を行ったり、リンク適応のために上述したＣＳＩを測定したりする目的で、ＲＬＭ／ＲＲＭ及びＣＳＩ測定を均一な干渉特性を有するサブフレーム集合に制限しなければならない。
【００４３】
現在のＬＴＥ標準では、このような論議を反映し、上位階層信号通知でＵＥに特定サブフレーム集合を通知し、特定サブフレーム集合以外の他のサブフレームではＲＬＭ／ＲＲＭ及びＣＳＩ測定が行われないこととなった。
【００４４】
本発明では、支配的干渉（ｄｏｍｉｎａｎｔ  ｉｎｔｅｒｆｅｒｅｎｃｅ）が存在する状況で、ＵＥが適切なチャネル状態情報又はダウンリンクリンク品質を計算して報告する方法を提案する。まず、支配的干渉が存在する状況とは、ＵＥに自分のサービス提供セルの信号より大きいレベルの干渉が存在する状況を指す。以下では、図面を参照してより詳細に説明する。
【００４５】
図６は、支配的干渉が存在する状況を例示する図である。
【００４６】
図６に示すように、ＵＥが自分に最も近く位置しているピコｅＮＢに接続しているが、ピコｅＮＢの送信電力はマクロｅＮＢに比べて低いため、ＵＥがマクロｅＮＢから支配的な干渉を経験する状況が生じることがある。
【００４７】
このような支配的干渉が存在する状況で干渉を受けるＵＥの円滑な動作のために、干渉を与えるｅＮＢ（図６の例では、マクロｅＮＢ）が一部の時間及び／又は周波数資源で送信を中止（あるいは送信電力を減少）し、このように干渉が除去／減少した資源で該当のＵＥをサービスする干渉緩和協力動作を行うことができる。
【００４８】
一例として、図６の例では、マクロｅＮＢは、一部のサブフレームを、ユニキャスト信号を送信しないＡＢＳとして設定し、このサブフレーム情報をピコｅＮＢに伝達し、ピコｅＮＢがマクロｅＮＢからの干渉が減少したサブフレームで該当のＵＥをスケジュールすることができる。
【００４９】
このように特定ｅＮＢが隣接ｅＮＢに及ぼす干渉を減少させるために一部のサブフレームをＡＢＳとして設定する場合、該当のサブフレームでは、ＰＤＳＣＨ又はユニキャストスケジュールのためのＰＤＣＣＨなどの信号が送信されないことが望ましい。しかし、ＡＢＳの存在を認識できない各旧型ＵＥの誤動作を防止するために、ＡＢＳでも一部の信号は送信されることが望ましい。このように、ＡＢＳでも送信される代表的な信号が、各種測定を行うＣＲＳである。ただし、ＣＲＳはＡＢＳでも送信されるため、隣接セルのＵＥに干渉として作用し、性能劣化の原因になる。
【００５０】
ＡＢＳでのＣＲＳの送信は、該当のサブフレームが干渉を与えるセルでＭＢＳＦＮサブフレームとして設定されたか否かによって変わるが、ＭＢＳＦＮサブフレームとして設定された場合、ＰＤＳＣＨ領域ではＣＲＳが送信されないが、ＭＢＳＦＮサブフレームとして設定されない場合、ＰＤＳＣＨ領域でもＣＲＳが送信されるべきである。
【００５１】
図７ａ及び図７ｂは、ＡＢＳがＭＢＳＦＮサブフレームとして設定されたか否かによる相違点を説明するための図である。特に、図７ａは、ＡＢＳがＭＢＳＦＮサブフレームとして設定されていない場合を示し、マクロｅＮＢから送信されるＰＤＳＣＨ領域でＣＲＳが送信されることが分かる。しかし、図７ｂは、ＡＢＳがＭＢＳＦＮサブフレームとして設定された場合を示し、マクロｅＮＢから送信されるＰＤＳＣＨ領域でＣＲＳが送信されないことが分かる。
【００５２】
ただし、図７ａ及び図７ｂは、ピコｅＮＢ及びマクロｅＮＢのＣＲＳが同一の副搬送波に送信されると仮定したが、ＣＲＳの周波数遷移のための値がセル識別子に依存するため、セル識別子の設定によって、ピコｅＮＢ及びマクロｅＮＢのＣＲＳは副搬送波上で別個の位置で送信することもできる。
【００５３】
このようなＡＢＳでのＣＲＳ干渉問題を解決するために、ＵＥは、適切な処理を行うことができる。代表的な処理の一つとして干渉無効化（ｃａｎｃｅｌｌａｔｉｏｎ）があるが、これは、まず、ＵＥがＣＲＳ干渉チャネルを測定した後、この推定された干渉を受信信号から減算することによって所望の信号を復元することである。この方式は、理想的な場合にＣＲＳ干渉を完全に除去できるという長所を有するが、隣接セル信号を別途、常に推定していなければならないため、バッテリ消耗などの面で短所を有する。
【００５４】
更に他の処理としては、受信端側でのＲＥパンクチャがあるが、これは、ＵＥが隣接セルＣＲＳから強い干渉を受けるＲＥを復号に活用しないことによってＣＲＳ干渉の影響を避ける方法である。この方式は、一部のＲＥを復号に使用できなくなるという短所を有するが、干渉無効化方式に比べて簡単に具現可能であるという長所を有する。
【００５５】
以上説明したようなＣＲＳ干渉のための処理を動作するＵＥの場合は、ＵＥがＣＳＩフィードバックのためのＲＩ／ＰＭＩ／ＣＱＩ情報を計算する方法又はリンク品質を計算する方法がｅＮＢに正しく知られていない場合、通信信頼性の保証が難しくなるという問題がある。一例として、マクロｅＮＢからのＣＲＳ干渉が強い場合は、上記の言及した処理を行うことが望ましいが、ＣＲＳ干渉がそれほど強くない場合は、このような処理なしで動作することが更に効果的な場合がある。すなわち、ＵＥのＣＲＳ干渉処理は常に行われるのではなく、干渉状況に応じて適応的に行われるが、特定時点でこのような処理が適用されるか否かをｅＮＢが知っていない場合、ＵＥが適用する処理が及ぼす影響をｅＮＢが正確に判断できないため、正しいＭＣＳレベルの選定が難しくなる。
【００５６】
より具体的に説明すると、まず、干渉無効化が適用される場合、実際には完璧な干渉除去が不可能であるため、処理後にも隣接セルのＣＲＳ干渉の一部は残り、復号性能に影響を及ぼす。このとき、送信される伝送ブロックのサイズに応じて復号性能への影響が変わる。これは、一つの伝送ブロックが一定のサイズを超えると、多数の符号ブロックに分離されて個別に復号され、特定ＲＥに存在するＣＲＳ干渉が特定符号ブロックで占める比率が伝送ブロックのサイズに応じて決定されるためである。ＬＴＥ  ＰＤＳＣＨの周波数優先マップ方式で資源が割り当てられるため、一般に伝送ブロックのサイズが大きくなるほど、特定符号ブロックにＣＲＳ干渉が多く残っている確率が大きい。ネットワークは、干渉無効化が適用されるという事実を知ったときだけ、割り当てられた伝送ブロックサイズでのＣＲＳ干渉の影響を推定し、適切なリンク適応を行えるようになる。
【００５７】
図８は、一つの伝送ブロックが複数の符号ブロックに分割された場合、各符号ブロックに及ぼすセル間干渉の影響を比較する例を示す。
【００５８】
図８を参照すると、全体の割当て資源は三つの符号ブロックに分割されるが、符号ブロック１は、残りの二つの符号ブロックに比べて２倍多いＣＲＳ干渉を経験しているため、干渉無効化後であっても、残っているＣＲＳ干渉によって、この特定符号ブロックの復号性能が残りに比べて更に劣化する。もちろん、このような現象は、割り当てられたＲＢの数が小さく、全体の資源に一つの符号ブロックだけが存在する場合には表れない。受信側でのＲＥパンクチャ技法の場合にも、同様に、特定符号ブロックでパンクチャされるＲＥの数は伝送ブロックのサイズに応じて決定されるため、ネットワークがリンク適応処理を行うためには、どのような処理が動作しているかを知っていなければならない。本発明では、このような問題を解決するために、ＵＥがＣＳＩを測定する方法又はリンク品質を測定する方法を提案する。
【００５９】
図９は、本発明の実施例によってＵＥがＣＳＩ又はリンク品質を測定する方法を示す図である。
【００６０】
まず、ネットワークは、段階９０１のように、ＣＲＳ干渉を処理するための処理を動作させるか否かを指示する信号をＵＥに送信することができる。例えば、ｅＮＢは、ＲＲＣ信号などの上位階層信号通知を通じて、段階９０３のように、今後、該当のＵＥが隣接セルのＣＲＳからの干渉を適宜処理する動作を行うという仮定の下で、ＣＳＩ又はリンク品質を測定して報告することを指示することができ、同様に、今後、そのような処理なしでＣＳＩ又はリンク品質を測定することを指示することができる。
【００６１】
特に、このような指示メッセージには、隣接セルのＣＲＳ干渉に対する情報が含まれ得るが、ＣＲＳ干渉に対する情報は、段階９０２のように、この指示メッセージとは別個に提供される。ここでは、隣接セルのセル識別子やアンテナポートの個数、ＣＲＳ  ＲＥの時間オフセット値／周波数オフセット値、隣接セルのＭＢＳＦＮサブフレーム設定情報などを含ませることができる。
【００６２】
さらに、ｅＮＢは、どのような形態の処理を使用するとの仮定（すなわち、干渉無効化技法を使用するか、受信側ＲＥパンクチャを使用するか、それとも別の処理がないかに対する仮定）の下でＣＳＩ又はリンク品質を測定するかをＵＥに通知することもできるし、ＵＥがどのような処理を仮定してＣＳＩ又はリンク品質を測定するかをｅＮＢに報告することもできる。
【００６３】
ＰＤＣＣＨによって起動される非周期的（ａｐｅｒｉｏｄｉｃ）ＣＳＩ報告の場合は、起動するＰＤＣＣＨ内に特定セルのＭＢＳＦＮサブフレームが設定されることを仮定するか否かを指示する指示子を追加する形態で具現することもできる。
【００６４】
このようなＣＳＩ測定又はリンク品質測定でＣＲＳ干渉処理プロセスに対する仮定を指示する方法の一つとして、制限的測定メッセージを暗示的な指示子として使用することもできる。上述したように、ｅＮＢは、一般に支配的干渉環境では正しいＣＳＩ測定又はリンク品質測定のために資源制限的測定を設定するため、ＣＲＳ干渉処理能力のあるＵＥは、このような資源制限的測定設定をＣＲＳ干渉処理を活性化する信号として解釈し、ＰＤＳＣＨ／ＰＤＣＣＨの復調時、ＣＳＩフィードバック又はリンク品質測定結果フィードバック時に自分が備えている処理を適用することができる。すなわち、資源制限的測定のためのサブフレーム集合が設定されると、ＵＥは、各サブフレーム集合に対するＣＳＩ又はリンク品質を測定するとき、適切なＣＲＳ干渉処理プロセスを動作させることができる。
【００６５】
この場合にも、ｅＮＢが上述したＣＲＳ干渉に対する情報をＵＥに伝達したり、ＵＥ自身が処理するＣＲＳ干渉に対する情報を報告したりすることができる。あるいは、このような情報の交換なしで、ＵＥは、常に一定の特徴のＣＲＳ干渉の存在を仮定し（例えば、特定のアンテナポートの個数に対応するＣＲＳ干渉が特定の位置に存在すると仮定し）、干渉処理後に達成可能なＣＳＩ又はリンク品質測定結果を報告するように動作することもできる。
【００６６】
このようなＵＥ処理を基盤にしてＣＳＩフィードバック又はリンク品質測定結果フィードバックの際に、図７ａ及び図７ｂに示したように、干渉セルのＭＢＳＦＮサブフレーム設定がＵＥフィードバックに影響を及ぼす。隣接セルのＭＢＳＦＮとして設定していないＡＢＳ（以下、一般ＡＢＳと称する）の場合は、ＰＤＳＣＨ領域にもＣＲＳ干渉が存在するため、このような干渉が処理された後のＣＳＩ又はリンク品質測定結果が報告されなければならない。その一方、隣接セルのＭＢＳＦＮとして設定したＡＢＳ（以下、ＭＢＳＦＮ  ＡＢＳと称する）の場合は、ＰＤＳＣＨ領域にＣＲＳ干渉が存在しないため、別のＣＲＳ干渉に対する処理なしで計算されたＣＳＩ又はリンク品質測定結果が報告されることが適切である。実際にネットワークを運用する状況では、このような一般ＡＢＳとＭＢＳＦＮ  ＡＢＳとが混在し得るため、これらを適宜処理し、常に正確なＣＳＩ又はリンク品質測定結果が報告されるようにすることが望ましい。
【００６７】
そのような方法の一つとして、本発明では、一般ＡＢＳ及びＭＢＳＦＮ  ＡＢＳは同一のサブフレーム集合に含ませないことを提案する。すなわち、特定のサブフレームが一つのサブフレーム集合を構成する場合、これらサブフレームで干渉を与えるセルのＭＢＳＦＮサブフレームの設定はすべて同一に維持する。これを通して、ＵＥは、同一のサブフレーム集合では同一のＣＲＳ干渉処理を仮定し、ＣＳＩ又はリンク品質を測定することができる。一例として、ｅＮＢは、ＰＤＳＣＨ復号でＣＲＳ干渉が存在するサブフレーム集合と、ＣＲＳ干渉が存在しないサブフレーム集合とをＲＲＣ信号などの上位階層信号を介して指示することができる。
【００６８】
あるいは、ＵＥが直接隣接セルのＣＲＳの存在有無を観察して判断し、特定サブフレーム集合でのＣＲＳ干渉処理を仮定して、ＣＳＩ又はリンク品質を測定することも可能である。この場合は、ＵＥが同一のサブフレーム集合内では同一のＣＲＳ干渉特性を仮定できるように、ネットワークがＭＢＳＦＮサブフレームの設定などを適宜調節することが望ましい。
【００６９】
更に他の方法において、本発明では、一般ＡＢＳとＭＢＳＦＮ  ＡＢＳとが同一のサブフレーム集合に共存し、ＵＥがＣＲＳ干渉に対する特定の仮定を特定のサブフレーム集合内のすべてのサブフレームに適用して、ＣＳＩ又はリンク品質を測定することを提案する。例えば、ＵＥが干渉無効化や受信側ＲＥパンクチャのうち一つの処理を通じてＣＲＳ干渉を解決するように仮定してＣＳＩ又はリンク品質を測定する場合は、特定サブフレーム集合内のすべてのサブフレームに対して実際のＣＲＳ干渉の存在有無とは関係なく、上記の仮定したプロセシング下で達成可能なＣＳＩ又はリンク品質結果を報告する。これに加えて、ＵＥは、ＣＲＳ干渉の存在を仮定した場合、同一のサブフレーム集合内では実際のＣＲＳ干渉の観測可否とは関係なく、上記の仮定したＣＲＳ干渉が存在すると仮定してＣＳＩ又はリンク品質を測定するように動作することもできる。
【００７０】
特に、このような動作は、周期的ＣＳＩ報告に適している。周期的ＣＳＩ報告の場合、ＲＩが一つのサブフレームを参照資源にしてＲＩを決定され、その後、他のサブフレームを参照資源にしてＰＭＩ／ＣＱＩが決定される。ここで、ＲＩを決定するときの参照資源でのＣＲＳ干渉の存在有無と、ＰＭＩ／ＣＱＩを決定するときの参照資源でのＣＲＳ干渉の存在有無が不一致のときも、一貫性のあるＣＳＩ測定が可能である。逆の動作も可能である。すなわち、ＵＥは、実際のサブフレーム上で観測されるＣＲＳ干渉の存在有無とは関係なく、常にＣＲＳ干渉が存在しないという仮定の下でＣＳＩを計算し、これを報告することもできる。
【００７１】
さらに、同一のサブフレーム集合で一般ＡＢＳとＭＢＳＦＮ  ＡＢＳとが共存する場合、ＣＲＳ干渉の存在有無によって計算されたＣＳＩ（又はリンク品質測定結果）をそれぞれ別個にフィードバックすることも可能である。すなわち、ＣＲＳ干渉の存在を仮定して測定したＣＳＩ（又はリンク品質測定結果）と、ＣＲＳ干渉が存在しないという仮定の下で測定したＣＳＩ（又はリンク品質測定結果）とをそれぞれフィードバックし、ネットワークが該当のサブフレームで使用する情報を提供する。
【００７２】
あるいは、ＲＩ報告とＰＭＩ／ＣＱＩ報告との間の一貫性を維持するために、特定ＰＭＩ／ＣＱＩ報告に対応するＲＩを報告するときの参照資源と同一のＣＲＳ干渉を仮定し（そして、そのＣＲＳ干渉を処理するための適切な処理を行うと仮定し）、ＰＭＩ／ＣＱＩ報告を行うように動作することも可能である。
【００７３】
図１０は、本発明の実施例によってＲＩ報告とＰＭＩ／ＣＱＩ報告との間の一貫性を維持するためにＰＭＩ／ＣＱＩ報告のための参照資源を設定する例を示す。
【００７４】
図１０を参照すると、サブフレーム（ＳＦ）＃ｎ＋４で報告されるＲＩと、ＳＦ＃ｎ＋８で報告されるＰＭＩ／ＣＱＩとは、それぞれＳＦ＃ｎ及びＳＦ＃ｎ＋４を参照資源として設定する。
【００７５】
この場合、本発明によると、ＳＦ＃ｎがＭＢＳＦＮ  ＡＢＳであるためＣＲＳ干渉が存在していない場合、ＳＦ＃ｎ＋４での干渉セルのＭＢＳＦＮサブフレーム設定とは関係なくＣＲＳ干渉が存在しないと仮定し、ＰＭＩ／ＣＱＩを計算してＳＦ＃ｎ＋８で報告する。ＳＦ＃ｎが一般ＡＢＳであるためＣＲＳ干渉が存在した場合、ＳＦ＃ｎ＋４での干渉セルのＭＢＳＦＮサブフレーム設定とは関係なくＣＲＳ干渉が存在すると仮定し、ＰＭＩ／ＣＱＩを計算してＳＦ＃ｎ＋８で報告する。他の意味で、各ＣＳＩ報告の参照資源での干渉セルのＭＢＳＦＮサブフレームの設定は、該当のＣＳＩ報告で仮定するＲＩが報告されるときに参照資源にしていたサブフレームの設定と同一であると仮定する。
【００７６】
特に、このような動作は、サービス提供セルのチャネル推定のために間欠的に送信されるＣＳＩ―ＲＳと連携したＣＳＩ報告をするときに効果的である。例えば、一度ＣＳＩ―ＲＳが送信され、その間にＲＩとＰＭＩ／ＣＱＩを送信する周期的ＣＳＩ報告インスタンスが複数回存在する場合、端末は、このようなＣＳＩ報告インスタンスの間でサービス提供セルチャネルが変化していないと仮定できるため、ＲＩを計算するときに得たＰＭＩ／ＣＱＩを再び計算せずにそのまま報告できるという長所がある。このような方式を多少変更し、端末は、一度ＣＳＩ―ＲＳが送信された後、ＣＳＩ―ＲＳが送信されるまで表れるすべてのＣＳＩ報告インスタンスの参照資源に対して、最初に表れたインスタンスの参照資源のＭＢＳＦＮサブフレーム設定と同一のＭＢＳＦＮサブフレーム設定を有すると仮定することもできる。
【００７７】
ＲＩを報告するときの参照資源の設定と同一の参照資源設定を今後報告されるＰＭＩ／ＣＱＩ計算で仮定することは、干渉セルのＭＢＳＦＮサブフレームだけでなく、その他の各種ＰＭＩ／ＣＱＩ計算に影響を及ぼす各要因（例えば、参照信号のためのＲＥの個数や可用ＯＦＤＭシンボルの個数及びＲＥの個数）などにも共に適用可能である。
【００７８】
本発明で提案する更に他の動作として、伝送ブロック（又は符号語）のサイズ（又はこれを決定するために割り当てられたＲＢの個数）に応じて別個のＣＳＩ値を計算して報告することを提案する。上述したように干渉無効化や受信側ＲＥパンクチャなどの動作が行われると、同一のＳＩＮＲ環境であっても、伝送ブロックのサイズに応じて処理後に残っているＣＲＳ干渉の影響が変わる。これを解決するために、本発明では、ネットワークがＣＳＩ計算で仮定する伝送ブロックのサイズ又は割り当てられたＲＢの数などの情報をＲＲＣ信号などの上位階層信号又はＬ１／Ｌ２制御信号を介してＵＥに通知することが望ましい。
【００７９】
あるいは、ＵＥは、複数のＲＢ個数に対して計算された複数のＣＳＩを報告することもできるが、例えば、周期的ＣＳＩ報告の場合、１回は割当てＲＢ数の少ない（例えば、４ＲＢ）場合に対してＣＳＩをフィードバックし、次回は割当てＲＢ数の大きい（例えば、全ＲＢ）場合に対してＣＳＩをフィードバックする形態で動作する。
【００８０】
本発明で提案する一般ＡＢＳとＭＢＳＦＮ  ＡＢＳとが同一のサブフレーム集合に共存し、ＵＥがＣＲＳ干渉に対する特定の仮定を特定のサブフレーム集合内のすべてのサブフレームに適用することによってＣＳＩ又はリンク品質を測定する動作は、特に、干渉セルがＡＢＳで無電力ＰＤＳＣＨ送信（ｚｅｒｏ  ｐｏｗｅｒ  ＰＤＳＣＨ  ｔｒａｎｓｍｉｓｓｉｏｎ）を行う（以下、ＺＰ―ＡＢＳ運用と称する）代わりに、電力削減ＰＤＳＣＨ送信（ｒｅｄｕｃｅｄ  ｎｏｎ―ｚｅｒｏ  ｐｏｗｅｒ  ＰＤＳＣＨ  ｔｒａｎｓｍｉｓｓｉｏｎ）を行う（以下、ＮＺＰ―ＡＢＳ運用と称する）場合に適用することが重要である。
【００８１】
図７の例を再び説明すると、この図面のように、マクロｅＮＢのＣＲＳとピコｅＮＢのＣＲＳとが互いに衝突する場合にマクロｅＮＢがＮＺＰ―ＡＢＳを運用するときは、ピコＵＥが干渉を測定する場合に困難が伴う。例えば、別の干渉測定資源が設定されていない状態では、ピコＵＥはピコｅＮＢのＣＲＳを除去し、その場で観察される信号を干渉信号と仮定して干渉を測定するが、図７のようにピコｅＮＢのＣＲＳがマクロｅＮＢのＣＲＳと衝突する状況でマクロｅＮＢが一般ＡＢＳを運用すると、マクロｅＮＢのＣＲＳが干渉測定に含まれ、ＡＢＳ状況での干渉が測定されず、むしろ非ＡＢＳ状況と類似する干渉が測定されるという問題が発生する。
【００８２】
ピコＵＥがマクロｅＮＢのＣＲＳを除去できる能力を有する場合、ピコＵＥがマクロｅＮＢのＣＲＳを除去して干渉を測定できるが、この場合にも、マクロｅＮＢがＮＺＰ―ＡＢＳを運用していると、ピコＵＥがマクロｅＮＢのＣＲＳを除去して測定した干渉は、実際のマクロｅＮＢのＰＤＳＣＨ電力（ＮＺＰ―ＡＢＳであるので０よりは大きいが、非ＡＢＳよりは多く減少した）が干渉に含まれなくなり、依然として不正確な測定が行われる。
【００８３】
その一方で、マクロｅＮＢがＭＢＳＦＮ  ＡＢＳを運用している場合は、ＰＤＳＣＨ領域ではピコｅＮＢのＣＲＳとマクロｅＮＢのＣＲＳとが衝突しないため、ピコｅＮＢのＣＲＳだけを除去し、マクロｅＮＢからの干渉を直接測定することが可能である。したがって、この場合に一般ＡＢＳ（すなわち非ＭＢＳＦＮ  ＡＢＳ）とＭＢＳＦＮ  ＡＢＳとの間の干渉測定誤差を解消するために、上述したように特定サブフレーム集合に属するすべてのサブフレームは非ＭＢＳＦＮであるという（又はＭＢＳＦＮであるという）一貫した仮定の下で干渉を測定し、ＣＳＩ又はリンク品質を測定することが望ましい。
【００８４】
さらに、マクロｅＮＢがＮＺＰ―ＡＢＳを運用するとき、一般ＡＢＳでの干渉測定のために（特にマクロｅＮＢのＣＲＳとピコｅＮＢのＣＲＳとが衝突する場合に）マクロｅＮＢの“参照信号対ＰＤＳＣＨの送信電力比率”をピコＵＥに伝達することができる。この場合、ピコＵＥは、まず、マクロｅＮＢのＣＲＳを測定した後、伝達された送信電力比率に基づいてマクロｅＮＢのＮＺＰ―ＡＢＳでの干渉量を推定することができる。そして、ピコＵＥは、ピコｅＮＢのＣＲＳ及びマクロｅＮＢのＣＲＳをすべて除去した後、測定された干渉に上記の推定されたマクロｅＮＢからの干渉量を加えてＮＺＰ―ＡＢＳ上での干渉を計算し、これに基づいてＣＳＩ又はリンク品質を測定することができる。もちろん、この動作は、一般ＡＢＳの場合、ＰＤＣＣＨ領域及びＰＤＳＣＨ領域のすべてで送信されたマクロｅＮＢのＣＲＳに基づいて行うことができる。その一方、上述したように、ＭＢＳＦＮ  ＡＢＳでは、ＰＤＳＣＨ領域からピコｅＮＢのＣＲＳを除去すると、マクロｅＮＢのＮＺＰ―ＡＢＳ上での干渉を直接測定することができる。
【００８５】
一般に、マクロｅＮＢの情報ロード又はビームフォーミング動作によって、このようにＭＢＳＦＮ  ＡＢＳで直接測定したマクロｅＮＢの干渉は、一般ＡＢＳの場合に対してピコＵＥが推定した干渉とは異なり、再び一般ＡＢＳとＭＢＳＦＮ  ＡＢＳとの間の干渉測定が不一致になるという問題が発生する。この場合にも、本発明で提案するＣＲＳ干渉の存在に対する適切な仮定を適用し、この問題を解決することができる。
【００８６】
一例として、特定サブフレームがＭＢＳＦＮ  ＡＢＳであるため、ＰＤＳＣＨ領域でピコＵＥがマクロｅＮＢの干渉を直接測定できる場合、一般ＡＢＳでの干渉測定のためにマクロｅＮＢの“参照信号対ＰＤＳＣＨの送信電力比率”が伝達されたときは、該当のサブフレームが非ＭＢＳＦＮであると仮定し、一般ＡＢＳで干渉推定値を誘導する動作、すなわち、マクロｅＮＢのＣＲＳが存在するという仮定の下で、マクロｅＮＢのＣＲＳ測定値と伝達された電力比率情報を使用して、マクロｅＮＢからの干渉推定値を計算する動作を行い、これに基づいてＣＳＩ又はリンク品質を測定することによって、上述した干渉測定の不一致問題を解決することができる。
【００８７】
この動作を行う場合、実際には、マクロｅＮＢはＭＢＳＦＮ  ＡＢＳでＰＤＳＣＨ領域にＣＲＳを送信しないため、ピコＵＥは、ＰＤＣＣＨ領域でマクロｅＮＢが送信するＣＲＳを測定し、これに基づいてＰＤＳＣＨ領域にもマクロｅＮＢが同一の信号サイズのＣＲＳを送信すると仮定して（そして、上記の伝達された“参照信号対ＰＤＳＣＨの送信電力比率”によってＰＤＳＣＨを送信すると仮定して）動作を行うことができる。
【００８８】
更に他の一例として、ＭＢＳＦＮ  ＡＢＳで測定された（より具体的には、マクロｅＮＢのＣＲＳが存在しないＭＢＳＦＮ  ＡＢＳのＰＤＳＣＨ領域で測定された）干渉だけを有効なものと見なして、ＣＳＩ又はリンク品質を測定するように動作することができる。特に、ＣＳＩの場合、一般ＡＢＳがＣＳＩの参照資源として設定されたときは、ピコＵＥは、該当の参照資源以外のサブフレームで測定された干渉、具体的には、該当の参照資源と同一のＣＳＩサブフレーム集合に属したＭＢＳＦＮ  ＡＢＳで測定された干渉に基づいてＣＳＩを計算することを意味することができる。また、ｅＮＢが二つの測定方式のうち一つを必要に応じて選択するために、ＲＲＣなどの上位階層信号を介して特定サブフレーム集合に対してどのような仮定でＣＳＩ又はリンク品質を測定するかを指示することができる。
【００８９】
上述した動作は、非ＡＢＳ状況の干渉を測定する場合にも適用可能である。一例として、マクロｅＮＢのＣＲＳとピコｅＮＢのＣＲＳとが衝突する状況でピコＵＥが非ＡＢＳ状況の干渉を測定する場合、一般ＡＢＳ状況ではピコｅＮＢのＣＲＳだけを除去して干渉を測定するため、マクロｅＮＢのＣＲＳに該当する干渉が測定される。一方、ＭＢＳＦＮ  ＡＢＳ状況ではマクロｅＮＢのＰＤＳＣＨに該当する干渉が測定され、二つの間に不一致が発生する。このような不一致を除去するために、二つの状況にマクロｅＮＢのＣＲＳ送信有無に対する適切な仮定を導入することができる。
【００９０】
例えば、ＭＢＳＦＮ  ＡＢＳ状況でもマクロｅＮＢがＰＤＳＣＨ領域でＣＲＳを送信すると仮定し、一般ＡＢＳのようにピコｅＮＢのＣＲＳだけを除去した状態でマクロｅＮＢのＣＲＳをマクロｅＮＢからの干渉と見なしてＣＳＩ又はリンク品質を測定することができる。上記の場合と同様に、ＭＢＳＦＮ  ＡＢＳでは実際のＰＤＳＣＨ領域でマクロｅＮＢのＣＲＳが存在しないため、ＰＤＣＣＨ領域でのマクロｅＮＢのＣＲＳ測定値でこれを置き換えることができる。
【００９１】
更に他の一例として、非ＡＢＳでは、ピコＵＥは実際にマクロｅＮＢのＰＤＳＣＨからより多くの干渉を受けるため、ＭＢＳＦＮ  ＡＢＳで測定された（より具体的には、マクロｅＮＢのＣＲＳが存在しないＭＢＳＦＮ  ＡＢＳのＰＤＳＣＨ領域で測定された）干渉だけを有効なものと見なして、ＣＳＩ又はリンク品質を測定するように動作することができる。特に、ＣＳＩの場合、たとえ一般ＡＢＳがＣＳＩの参照資源として設定された場合であっても、ピコＵＥは、該当の参照資源以外のサブフレームで測定された、具体的には、該当の参照資源と同一のサブフレーム集合に属したＭＢＳＦＮ  ＡＢＳで測定された干渉に基づいて、ＣＳＩ又はリンク品質を測定することを意味する。
【００９２】
図１１は、本発明の一実施例に係る通信装置のブロック構成図である。
【００９３】
図１１を参照すると、通信装置１１００は、プロセッサ１１１０、メモリ１１２０、ＲＦモジュール１１３０、表示モジュール１１４０及びユーザインタフェースモジュール１１５０を含む。
【００９４】
通信装置１１００は、説明の便宜のために図示したものであって、一部のモジュールは省略可能である。また、通信装置１１００は、必要なモジュールを更に含むことができる。また、通信装置１１００における一部のモジュールは、より細分化されたモジュールに区分することができる。プロセッサ１１１０は、図面を参照して例示した本発明の実施例に係る動作を行うように構成される。具体的には、プロセッサ１１１０の詳細な動作は、図１ないし図１０に記載された内容を参照してもよい。
【００９５】
メモリ１１２０は、プロセッサ１１１０に接続され、オペレーティングシステム、アプリケーション、プログラムコード、データなどを記憶する。ＲＦモジュール１１３０は、プロセッサ１１１０に接続され、基底帯域信号を無線信号に変換したり、無線信号を基底帯域信号に変換したりする機能を行う。このために、ＲＦモジュール１１３０は、アナログ変換、増幅、フィルタ及び周波数アップコンバージョン又はこれらの逆過程を行う。表示モジュール１１４０は、プロセッサ１１１０に接続され、多様な情報を表示する。表示モジュール１１４０は、限定するものではないが、液晶ディスプレイ（ＬＣＤ）、発光ダイオード（ＬＥＤ）、有機発光ダイオード（ＯＬＥＤ）などのよく知られている素子を含むことができる。ユーザインタフェースモジュール１１５０は、プロセッサ１１１０と接続され、キーパッド、タッチスクリーンなどのよく知られているユーザインタフェースの組合せで構成することができる。
【００９６】
以上説明した各実施例は、本発明の構成要素及び特徴が所定形態で結合されたものである。各構成要素又は特徴は、別途の明示的な言及がない限り、選択的なものとして考慮しなければならない。各構成要素又は特徴は、他の構成要素又は特徴と結合されない形態で実施してもよい。また、一部の構成要素及び／又は特徴を結合して本発明の実施例を構成してもよい。本発明の各実施例で説明する各動作の順序は変更可能である。一つの実施例の一部の構成や特徴は、他の実施例に含ませてもよいし、又は、他の実施例の対応する構成又は特徴に置き換えてもよい。特許請求の範囲で明示的な引用関係のない各請求項を結合して実施例を構成したり、出願後の補正によって新しい請求項を含ませたりしてもよいことは自明である。
【００９７】
本発明に係る実施例は、多様な手段、例えば、ハードウェア、ファームウェア、ソフトウェア又はそれらの結合などによって具現することができる。ハードウェアによる具現の場合、本発明の一実施例は、一つ又はそれ以上の特定用途集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、コントローラ、マイクロコントローラ、マイクロプロセッサなどによって具現することができる。
【００９８】
ファームウェア又はソフトウェアによる具現の場合、本発明の一実施例は、以上で説明した機能又は動作を行うモジュール、手順、関数などの形態で具現することができる。ソフトウェアコードは、メモリユニットに記憶させてプロセッサによって駆動することができる。メモリユニットは、プロセッサの内部又は外部に位置し、既に公知となっている多様な手段によってプロセッサとデータを交換することができる。
【００９９】
本発明が、本発明の特徴を逸脱しない範囲で他の特定の形態に具体化できることは当業者にとって自明である。したがって、上記の詳細な説明は、すべての面で制限的に解釈してはならず、例示的なものとして考慮しなければならない。本発明の範囲は、添付の請求項の合理的解釈によって決定しなければならず、本発明の均等範囲内でのすべての変更は本発明の範囲に含まれる。
【産業上の利用可能性】
【０１００】
上述したような無線通信システムでリンク品質を測定する方法及びこのための装置は、３ＧＰＰ  ＬＴＥシステムに適用される例を中心に説明したが、３ＧＰＰ  ＬＴＥシステムの他にも多様な無線通信システムに適用可能である。
【図１】
2014531822.tif 000003
【図２】
2014531822.tif 000004
【図３】
2014531822.tif 000005
【図４】
2014531822.tif 000006
【図５】
2014531822.tif 000007
【図６】
2014531822.tif 000008
【図７ａ】
2014531822.tif 000009
【図７ｂ】
2014531822.tif 000010
【図８】
2014531822.tif 000011
【図９】
2014531822.tif 000012
【図１０】
2014531822.tif 000013
【図１１】
2014531822.tif 000014
【手続補正書】
【提出日】平成26年4月8日(2014.4.8)
【手続補正１】
【補正対象書類名】特許請求の範囲
【補正対象項目名】全文
【補正方法】変更
【補正の内容】
【特許請求の範囲】
【請求項１】
無線通信システムにおいて端末が測定を行う方法であって、
上位階層を介して、資源制限的測定のためのサブフレーム集合に関する情報及び隣接セルのセル特定参照信号に関する情報を受信する段階と、
前記隣接セルの前記セル特定参照信号に関する情報に基づいて、前記セル特定参照信号からの干渉を緩和して、前記サブフレーム集合によって示されるサブフレームについて前記測定を行う段階と、
前記測定の結果をネットワークに報告する段階と、
を有する方法。
【請求項２】
前記サブフレーム集合に含まれるサブフレームは、略空白サブフレーム（ＡＢＳ）又はマルチキャスト・ブロードキャスト単一周波網（ＭＢＳＦＮ）ＡＢＳであることを特徴とする、請求項１に記載の方法。
【請求項３】
前記測定を行う段階は、前記隣接セルの前記セル特定参照信号によって生じた干渉が除去されたという仮定の下で、前記測定を行う段階を含むことを特徴とする、請求項２に記載の方法。
【請求項４】
前記測定の結果は、第１の情報、及び前記第１の情報に対応する第２の情報を含み、
前記第１の情報の送信周期の間に前記第２の情報が複数回送信される場合、第１の情報を測定するためのサブフレーム及び前記第２の情報を測定するためのサブフレームは、前記サブフレーム集合に属すると仮定することを特徴とする、請求項１に記載の方法。
【請求項５】
前記第１の情報はランク指示子（ＲＩ）であり、
前記第２の情報は、プリコーディング行列インデクス（ＰＭＩ）及びチャネル品質指示子（ＣＱＩ）のうち少なくとも一つを含むことを特徴とする、請求項４に記載の方法。
【請求項６】
前記隣接セルの前記セル特定参照信号によって生じた前記干渉を緩和することなく、前記サブフレーム集合によって示されていないサブフレームについて前記測定を行う段階を更に有する、請求項１に記載の方法。
【請求項７】
前記上位階層は、無線資源制御（ＲＲＣ）階層であることを特徴とする、請求項１に記載の方法。
【請求項８】
無線通信システムにおける端末であって、
上位階層を介して、資源制限的測定のためのサブフレーム集合に関する情報及び隣接セルのセル特定参照信号に関する情報を受信するように構成された受信モジュールと、
前記隣接セルの前記セル特定参照信号に関する情報に基づいて、前記セル特定参照信号からの干渉を緩和して、前記サブフレーム集合によって示されるサブフレームについて測定を行うように構成されたプロセッサと、
前記測定の結果をネットワークに報告するように構成された送信モジュールと、
を備える端末。
【請求項９】
前記サブフレーム集合に含まれるサブフレームは、略空白サブフレーム（ＡＢＳ）又はマルチキャスト・ブロードキャスト単一周波網（ＭＢＳＦＮ）ＡＢＳであることを特徴とする、請求項８に記載の端末。
【請求項１０】
前記プロセッサは、前記隣接セルの前記セル特定参照信号によって生じた干渉が除去されたという仮定の下で、前記測定を行うことを特徴とする、請求項９に記載の端末。
【請求項１１】
前記測定の結果は、第１の情報、及び前記第１の情報に対応する第２の情報を含み、
前記第１の情報の送信周期の間に前記第２の情報が複数回送信される場合、前記プロセッサは、第１の情報の測定のためのサブフレーム及び前記第２の情報の測定のためのサブフレームが前記サブフレーム集合に属すると仮定することを特徴とする、請求項８に記載の端末。
【請求項１２】
前記第１の情報はランク指示子（ＲＩ）であり、
前記第２の情報は、プリコーディング行列インデクス（ＰＭＩ）及びチャネル品質指示子（ＣＱＩ）のうち少なくとも一つを含むことを特徴とする、請求項１１に記載の端末。
【請求項１３】
前記プロセッサは、前記隣接セルの前記セル特定参照信号によって生じた前記干渉を緩和することなく、前記サブフレーム集合によって示されていないサブフレームについて前記測定を行う、請求項８に記載の端末。
【請求項１４】
前記上位階層は、無線資源制御（ＲＲＣ）階層であることを特徴とする、請求項８に記載の端末。
【国際調査報告】
2014531822.tif 000015
2014531822.tif 000016
2014531822.tif 000017
2014531822.tif 000018